(57)【要約】【課題】ビデオカメラなどの撮像装置で撮影する場合において、撮影者がビューファインダー上の目標被写体を追従するように撮影装置を操作する必要があるが、この際、ビューファインダー上の目標被写体を見失うことが多く、撮影に失敗する場合がある。【解決手段】映像信号より目標の被写体を判別し、判別信号を出力する目標被写体判別回路と、目標被写体の認識が容易になるような強調処理を行なう目標被写体強調回路とを備え、ビューファインダーに出力する映像信号にのみ前記目標被写体判別回路の出力に従って、目標被写体映像部分に認識が容易になる強調処理を行なうことにより、目標被写体を見失うことを防止する。【選択図】　図１
2004128935.tif 000002
【特許請求の範囲】
【請求項１】
映像信号より目標の被写体を判別し、判別信号を出力する目標被写体判別回路と、目標被写体の認識が容易になるような強調処理を行なう目標被写体強調回路とを備え、ビューファインダーに出力する映像信号にのみ前記目標被写体判別回路の出力に従って、目標被写体映像部分に認識が容易になる処理を行なうことを特徴とする目標被写体強調機能付き撮像装置。
【請求項２】
前記目標被写体判別回路は、映像信号より任意の独立した２つの色信号を生成する色信号生成回路と、前記生成された２つの色信号と予め設定された第１、第２の設定値との差分信号を算出する第１、第２の減算器と、前記第１、第２の減算器の出力の絶対値を算出する絶対値回路と、前記絶対値回路出力のゲインを調整する第１、第２の乗算器と、前記第１の乗算器の出力と予め設定された第３の設定値との差信号を算出する第３減算器と、前記第３の減算器出力と前記第２の乗算器との差信号を算出する第４の減算器と、前記第４の減算器出力の負の値を零に置き換える負クリップ回路とを備え、前記負クリップ回路の出力は、零以外の値が特定色領域を示し、かつ、特定色らしさの度合いを示す信号として、前記第１、第２の設定値と前記２つの色信号との差分に応じた零ないし第３の設定値の値をとり、この出力信号を目標被写体を判別する信号として用いることを特徴とする請求項１記載の目標被写体強調機能付き撮像装置。
【請求項３】
前記目標被写体強調回路は、色信号制限回路を備え、目標被写体判別信号に従って、目標被写体以外の色信号を制限することを特徴とする請求項１記載の目標被写体強調機能付き撮像装置。
【発明の詳細な説明】
【０００１】
【発明の属する技術分野】
本発明は、ビデオカメラ、ＶＴＲ一体型カメラなどに用いられ、ビューファインダーなどで撮像する映像をモニターする場合の映像信号に特殊な処理を行ない、目標被写体をわかりやすくする機能を有した撮像装置に関する。
【０００２】
【従来の技術】
従来、撮像装置においては、ビューファインダーなどに本線出力とは別にモニター用の映像を出力しており、撮影者はビューファインダーをみながら撮像装置の向きを常に撮影したい目標被写体に向け撮影を行なっている。
【０００３】
【特許文献１】
実用新案登録公報第２５８７１８７号（ビューファインダーを有するカメラ）
【０００４】
【発明が解決しようとする課題】
この従来の撮像装置において、撮影したい目標被写体が移動する場合や類似した被写体が複数ある場合、撮影者がビューファインダー上の目標被写体を追従するように撮影装置を操作する必要があるが、この際、ビューファインダー上の目標被写体を見失うことが多く、撮影に失敗する場合がある。
【０００５】
例えば公園などで自分の子供を撮影する場合など、他の子供が同時にビューファインダー上に存在するし、かつ、自分の子供も動き回るため、少し目を離すとビューファインダー上でどこに自分の子供がいるか見失いがちである。
【０００６】
本発明は、以上の点を考慮してなされたもので、目標とする被写体映像を強調してビューファインダー上に出力することで、目標被写体を容易に認識できる撮像装置を実現することを目的とする。
【０００７】
また本発明は、目標の被写体のみカラーで表示する場合に、その境界部分がより自然に表示されることを目的とする。
【０００８】
【課題を解決するための手段】
この課題を解決するために、本発明は、映像信号より目標の被写体を判別し、判別信号を出力する目標被写体判別回路と、目標被写体の認識が容易になるような強調処理を行なう目標被写体強調回路とを備え、ビューファインダーに出力する映像信号にのみ前記目標被写体判別回路の出力に従って、目標被写体映像部分に認識が容易になる処理を行なうものである。
【０００９】
また、前記目標被写体判別回路は、映像信号より任意の独立した２つの色信号を生成する色信号生成回路と、前記生成された２つの色信号と予め設定された第１、第２の設定値との差分信号を算出する第１、第２の減算器と、前記第１、第２の減算器の出力の絶対値を算出する絶対値回路と、前記絶対値回路出力のゲインを調整する第１、第２の乗算器と、前記第１の乗算器の出力と予め設定された第３の設定値との差信号を算出する第３減算器と、前記第３の減算器出力と前記第２の乗算器との差信号を算出する第４の減算器と、前記第４の減算器出力の負の値を零に置き換える負クリップ回路とを備え、前記負クリップ回路の出力は、零以外の値が特定色領域を示し、かつ、特定色らしさの度合いを示す信号として、前記第１、第２の設定値と前記２つの色信号との差分に応じた零ないし第３の設定値の値をとり、この出力信号を目標被写体を判別する信号として用いるものである。
【００１０】
また、前記目標被写体強調回路は、色信号制限回路を備え、目標被写体判別信号に従って、目標被写体以外の色信号を制限するものである。
【００１１】
【発明の実施の形態】
以下、本発明の実施の形態について、図１から図３を用いて説明する。
【００１２】
（実施の形態１）
図１は本発明の目標被写体強調機能付き撮像装置の実施の形態１の構成を示す。また、図２は本発明の目標被写体強調機能付き撮像装置の実施の形態１のより詳細な構成を示す。図２において、１はレンズ、プリズム、ＣＣＤなどの撮像素子などで構成され、色光をＲ，Ｇ，Ｂに分割しそれぞれに設けられた撮像素子によりＲ，Ｇ，Ｂの３原色に対応してＲ，Ｇ，Ｂの３原色信号を得る撮像部、２は撮像部１からのＲＧＢ３原色信号を増幅する増幅器、３は増幅器２からの出力信号にガンマ処理、マトリクス変換処理などを行なうプロセス回路、４はＲＧＢ３原色信号から目標の被写体を判別し、判別信号を出力する目標被写体判別回路であり、入力されたＲＧＢ３原色信号の色成分が予め設定されている目標被写体の色領域かどうかで目標被写体判別信号を発生するものである。すなわち、ＲＧＢ３原色信号から２つの独立した色信号Ｒ−Ｙ，Ｂ−Ｙを生成する色信号生成回路２０１、および入力された色信号が予め設定されている色領域に入っているかどうかを判定する色判定回路２０２により構成されている。色判定回路２０２は、色信号生成回路２０１で生成された２つの色信号Ｒ−Ｙ，Ｂ−Ｙと、あらかじめ設定された第１、第２の色信号設定値との差を算出する第１、第２の減算器１０１、１０２と、第１、第２の減算器１０１、１０２の出力の絶対値を算出する第１、第２の絶対値回路１０３，１０４と、絶対値回路１０３、１０４の出力のゲインを調整する第１、第２の乗算器１０５，１０６と、第１の乗算器１０５の出力と第３の設定値との差を算出する第３の減算器１０７と、第３の減算器１０７の出力と第２の乗算器１０６との差を算出する第４の減算器１０８と、第４の減算器１０８の出力に負クリップ処理を行なう負クリップ回路１０９とで構成されている。５は目標被写体の認識が容易になるような強調処理を行なう目標被写体強調回路であり、色信号制限回路２０３で構成されている。
【００１３】
以上のように構成された目標被写体強調機能付き撮像装置について、以下、その動作を説明する。
【００１４】
色信号生成回路２０１において、ＲＧＢ信号を演算により色信号Ｒ−Ｙ，Ｂ−Ｙに変換し、色判定回路２０２に出力する。色信号Ｒ−Ｙは減算器１０１により予め設定されているＲ−Ｙ信号の設定値Ｒ−ＹＳｅｔと減算され、次段の絶対値回路１０３でＲ−Ｙ信号の設定値Ｒ−ＹＳｅｔとの差信号の絶対値を算出する。さらに、乗算器１０５で係数ｋ１を乗算し出力される。同様に色信号Ｂ−Ｙは、減算器１０２により予め設定されているＢ−Ｙ信号の設定値Ｂ−ＹＳｅｔと減算され、次段の絶対値回路１０４でＢ−Ｙ信号の設定値Ｂ−ＹＳｅｔとの差信号の絶対値を算出する。さらに、乗算器１０６で係数ｋ２を乗算し出力される。乗算器１０５からの出力信号は第３の設定値ＲＳｅｔから減算器１０７で減算され、さらに減算器１０８で乗算器１０６の出力信号を減算する。負クリップ回路１０９は減算器１０８の出力信号の負の値をすべて零に置き換え、目標被写体判別回路の出力信号とする。すなわち、以上説明したように上記色判定回路２０２では、次式で示される演算により目標被写体かどうかを判別していることになる。
【００１５】
【式１】
2004128935.tif 000003
また、以上説明したように上記色判定回路２０２では、さらに（１）式により得られた判別信号Ｐに負クリップ処理を行ない、出力信号としている。
【００１６】
図３に上記色判定回路２０２の入力である色信号Ｒ−Ｙ，Ｂ−Ｙと出力である判別信号Ｐを示す値との関係を示す。すなわち、判別信号Ｐは０〜ＲＳｅｔの値を取り、０以外が目標被写体領域で、かつその値が目標被写体らしさの度合いを示す。
【００１７】
また、第１、第２の設定値Ｒ−ＹＳｅｔ、Ｂ−ＹＳｅｔは、１００％目標被写体とする色に対する色信号Ｒ−Ｙ，Ｂ−Ｙの値であり、係数ｋ１、ｋ２（ｋ１＞０、ｋ２＞０）は図３における側面の傾き、第３の設定値ＲＳｅｔは目標被写体度が１００％のときの出力信号のレベルを決定するパラメータである。よって、係数ｋ１、ｋ２の大きさによって、目標被写体と判断される領域の大小が決定され、目標被写体領域内での目標被写体度Ｐは０＜Ｐ≦ＲＳｅｔの値をとる。
【００１８】
以上説明したように、目標被写体判別回路４は、映像信号より目標被写体領域を判別し、その目標被写体度を示す値を目標被写体強調回路５の色信号制限回路２０３へ出力する。色信号制限回路では、入力された目標被写体度Ｐのレベルに従って、色信号のレベルを制限する。すなわち、目標被写体度Ｐが零の場合は、色信号を零に変換して出力する。従って、目標被写体強調回路の出力をビューファインダーへ出力すると、撮影したい目標被写体のみがビューファインダー内でカラー表示され、目標被写体を強調した映像出力を得ることができる。
【００１９】
なお、目標被写体判別回路への入力信号はＲＧＢ信号である必要はない。また、色信号生成回路で生成される色信号はＲ−Ｙ，Ｂ−Ｙ信号である必要はなく、任意の独立な色信号であれば何でも良い。
【００２０】
また、目標被写体かどうかを判別する判定式は（１）式である必要はなく、２つの色信号から目標被写体度が算出できるのならばどの態様でもよい。従って、色判定回路の構成も図２に示すとおりである必要はない。
【００２１】
また、目標被写体かどうかを判別する方法は、目標被写体の色信号が予め設定されている色信号領域にはいっているかどうかである必要はなく、輝度信号が予め設定された輝度信号領域にはいっているかどうかであっても良く、また、色信号および輝度信号の両方を用いても良い。
【００２２】
【発明の効果】
以上のように本発明によれば、ほとんど白黒のビューファインダー映像中に、目標の被写体のみカラーで表示されるため、非常に認識しやすくなるという顕著な効果が得られる。
【００２３】
以上のように本発明によれば、目標被写体判別信号は、ＯＮ／ＯＦＦではなく、連続した信号のため、目標被写体の境界部で色信号のパタツキが減少し、全体として、自然な目標被写体強調映像が得られる。
【図面の簡単な説明】
【図１】本発明の実施の形態１による目標被写体強調機能付き撮像装置の構成を示すブロック図
【図２】本発明の実施の形態１による目標被写体強調機能付き撮像装置のより詳細な構成を示すブロック図
【図３】同実施の形態１の色判定回路の入力色信号Ｒ−Ｙ，Ｂ−Ｙと出力信号との関係を示す模式図
【符号の説明】
１　撮像部
２　増幅器
３　プロセス回路
４　目標被写体判別回路
５　目標被写体強調回路
１０１，１０２，１０７，１０８　減算器
１０３，１０４　絶対値回路
１０５，１０６　乗算器
１０９　負クリップ回路
２０１　色信号生成回路
２０２　色判定回路
２０３　色信号制限回路
【図１】
2004128935.tif 000004
【図２】
2004128935.tif 000005
【図３】
2004128935.tif 000006